(57)【要約】【課題】便座支持部材に設けられる機器やその支承部材等に要求される耐衝撃性を緩和することができる便器設備を提供する。【解決手段】便座支持部材２の浮上ユニット２０は、ステッピングモータ３０と、該ステッピングモータ３０の回転軸に固着されたピニオン３１と、該ピニオン３１が噛合したラック３２とを有する。モータ３０は、便座支持部材２のフロントベースプレート３ａに固設されている。ラック３２は、便器本体１上に配置されたリアベースプレート４ａから立設されたフレーム３３に固設されている。浮上ユニット２０用制御回路は、上昇工程の末期及び下降工程の末期になると、ステッピングモータ３０に与えるパルスの間隔を長くし、ステッピングモータ３０の回転を遅くして、フロントベースプレート３ａの上昇速度及び下降速度をそれぞれそれまでよりも小さくする。【選択図】　図３
2004097392.tif 000002
【特許請求の範囲】
【請求項１】
便器本体に設けられる便座支持部材と、
該便座支持部材に起倒可能に支持された便座と、
該便座支持部材を昇降させる昇降装置と、
を有する便器設備において、
該昇降装置は、上昇工程末期の上昇速度をそれまでよりも小さくするものであることを特徴とする便器設備。
【請求項２】
便器本体に設けられる便座支持部材と、
該便座支持部材に起倒可能に支持された便座と、
該便座支持部材を昇降させる昇降装置と、
を有する便器設備において、
該昇降装置は、下降工程末期の下降速度をそれまでよりも小さくするものであることを特徴とする便器設備。
【請求項３】
請求項１又は２において、該昇降装置はステッピングモータを動力源として備えていることを特徴とする便器設備。
【発明の詳細な説明】
【０００１】
【発明の属する技術分野】
本発明は、便座支持部材を昇降させる機構を備えた便器設備に関する。
【０００２】
【従来の技術】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材を洋風便器に対し上下動可能とし、洋風便器の清掃時に便座支持部材を便座と共に上方に移動（浮上）させるようにしたものが提案されている（特開２０００−３３０５１号公報）。
【０００４】
また、特開２０００−１０４３０７号公報には、スイッチ操作により便座支持部材を昇降させることが記載されている。
【０００５】
【特許文献１】
特開２０００−３３０５１号公報
【特許文献２】
特開２０００−１０４３０７号公報
【０００６】
【発明が解決しようとする課題】
従来の便座支持部材昇降装置では、その上昇速度又は下降速度はスタートからストップに到るまで一定である。このような場合、便座支持部材が上昇限に達したとき、あるいは便器上面に当るときの慣性力が大きいので、便座支持部材内の機器に加えられる衝撃が大きい。そのため、各機器あるいはその支承部材の耐衝撃性を高める必要があった。
【０００７】
本発明は、便座支持部材に設けられる機器やその支承部材等に要求される耐衝撃性を緩和することができる便器設備を提供することを目的とする。
【０００８】
【課題を解決するための手段】
本発明（請求項１）の便器設備は、便器本体に設けられる便座支持部材と、該便座支持部材に起倒可能に支持された便座と、該便座支持部材を昇降させる昇降装置とを有する便器設備において、該昇降装置は、上昇工程末期の上昇速度をそれまでよりも小さくするものであることを特徴とするものである。
【０００９】
かかる便器設備にあっては、便座支持部材が上昇して停止しようとする際の上昇速度を小さくし、各機器等に加えられる衝撃を緩和することができる。
【００１０】
本発明（請求項２）の便器設備は、便器本体に設けられる便座支持部材と、該便座支持部材に起倒可能に支持された便座と、該便座支持部材を昇降させる昇降装置とを有する便器設備において、該昇降装置は、下降工程末期の下降速度をそれまでよりも小さくするものであることを特徴とするものである。
【００１１】
かかる便器設備にあっては、便座支持部材を下降させる場合、下降して停止しようとする際の下降速度を小さくし、各機器等に加えられる衝撃を緩和することができる。
【００１２】
なお、下降工程末期の下降速度を小さくした場合、便器本体上面に清掃用品などを置き忘れていた場合でも、これを慌てることなく取り除くことができる。
【００１３】
上昇工程の末期及び下降工程の末期は、いずれも、便座支持部材の昇降距離（ストローク）の５〜３０％、特に１０〜２０％の範囲とするのが好ましい。上昇工程及び下降工程の末期では、それまでの上昇速度及び下降速度の１０〜５０％、特に２０〜４０％程度の速度にて上昇又は下降させるのが好ましい。
【００１４】
本発明の便器設備において、昇降装置の動力源をステッピングモータとすることにより、上昇工程及び下降工程のいずれにおいても上昇速度、下降速度を任意に調節することができる。
【００１５】
【発明の実施の形態】
以下、図面を参照して実施の形態について説明する。図１は実施の形態に係る便器設備の側面図であり、（ａ）図は便座支持部材の浮上前、（ｂ）図は便座支持部材の浮上後の状態を示している。図２は、この便器設備の斜視図、図３は浮上ユニットの斜視図である。
【００１６】
陶器製の洋風便器本体１の後部上面に便座支持部材２が昇降可能に設置されており、この便座支持部材２に便座３ｅ及び便蓋３ｆが起倒方向回動自在に取り付けられている。
【００１７】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル１０，１１及びモータ駆動式温水切替弁装置１２が設置されている。また、このフロントベースプレート３ａの底面には、便座支持部材２が浮上したときにその下側領域Ｓを照らすための照明３ｇが設けられている。この照明３ｇとしてはＬＥＤが好適であるが、これに限定されない。
【００１８】
また、このフロントベースプレート３ａ上には、便座３ｅ及び便蓋３ｆを開閉させる電動開閉ユニット１３、人体臀部に向けて温風を吹き出してその乾燥を行う温風ファン１４、便鉢内から臭気を含んだ空気を吸引して脱臭する脱臭ファン１５及び脱臭カートリッジ１６が設けられている。カバー３ｄには、便器本体１に近づいたり着座した人体を検知するための人体検知センサ１７，１８が設けられている。
【００１９】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ（図１にのみ図示）、便座支持部材２を押し上げたり、降下させたりするためのモータ駆動式浮上ユニット２０、ヒータ及び電動ファンよりなる部屋暖房ファン２１、電源基板２２、制御回路基板２３、便鉢やトラップ部へ水を供給するためのバルブユニット２４等が設けられている。
【００２０】
この浮上ユニット２０は、図３に示す通り、ステッピングモータ３０と、該ステッピングモータ３０の回転軸に固着されたピニオン３１と、該ピニオン３１が噛合したラック３２とを有する。ステッピングモータ３０は、フロントベースプレート３ａに固着されている。リアベースプレート４ａからは浮上ユニット２０のフレーム３３が立設され、該フレーム３３にラック３２が固設されている。なお、図示はしないが、このフレーム３３には上下方向に延在した１対のレールが設けられており、フロントベースプレート３ａに設けられたスライダが該レールに沿って移動可能とされている。ステッピングモータ３０が正転又は逆転することにより、フロントベースプレート３ａが上昇又は下降する。
【００２１】
この温水洗浄機構等は、トイレルームの壁面に取り付けられたリモコンによって操作される。このリモコンには、浮上ユニット２０を浮上動作させるための浮上スイッチと、浮上ユニット２０を下降動作させるための下降スイッチとが設けられている。この浮上スイッチ及び下降スイッチからの信号は、制御回路基板２３に設けられた浮上ユニット用制御回路に入力される。
【００２２】
浮上スイッチを操作すると、浮上ユニット２０が便座支持部材２のフロントベースプレート３ａを所定高さまで押し上げ、その状態に停止させる。また、便座支持部材２が上昇すると、照明３ｇが点灯する。これにより、浮上した便座支持部材２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。
【００２３】
下降スイッチを操作すると、浮上ユニット２０は該フロントベースプレート３ａを下降させるように作動する。
【００２４】
この実施の形態にあっては、便座支持部材２の上昇工程の末期では上昇速度をそれまでよりも小さくし、また、下降工程の末期では下降速度をそれまでよりも小さくするよう構成されている。即ち、浮上ユニット用制御回路には、フロントベースプレート３ａの上昇開始及び下降開始からステッピングモータ３０に与えたパルス数をカウントするカウンタが設けられており、フロントベースプレート３ａの現在位置が正確に検知されている。上昇工程の末期及び下降工程の末期になると、ステッピングモータ３０に与えられるパルスの間隔が長くなり、ステッピングモータ３０の回転が遅くなり、フロントベースプレート３ａの上昇速度及び下降速度がそれぞれそれまでよりも小さくなる。
【００２５】
このため、フロントベースプレート３ａが上昇限に達して停止する瞬間及びフロントベースプレート３ａが洋風便器本体１上に降下して停止する瞬間に、便座支持部材２の各構成部材に加えられる衝撃が小さくなり、これら各構成部材やその取付部に要求される耐衝撃性が緩和される。また、便座支持部材２が下降工程末期に減速されることから、洋風便器本体１上に雑巾などを置き忘れていても、慌てることなく取り除くことができる。
【００２６】
なお、フロントベースプレート３ａの上昇速度及び下降速度は、段階的に変化させてもよく、連続的に変化させてもよい。
【００２７】
上記実施の形態ではステッピングモータ３０を備えた浮上ユニット２０が採用され、このステッピングモータ３０の回転速度制御によりフロントベースプレート３ａの上昇速度及び下降速度を制御しているが、本発明はこれ以外の構成の浮上ユニットを採用してもよい。
【００２８】
以下に、浮上ユニットの別の構成について説明する。
【００２９】
図４は、カムを変速機構として採用した浮上ユニット２０Ａの斜視図であり、図５（ａ），（ｂ）は、それぞれ、便座支持部材浮上前及び上昇工程末期における、図４のＶ−Ｖ線断面図である。
【００３０】
この浮上ユニット２０Ａは、カム４０と、該カム４０を回転させるためのモータ４１と、該カム４０のカム面４０ａ〜４０ｃに対し摺動可能に当接する摺動体４２とを備えている。該モータ４１は、便器本体１の後部上面に配置されたリアベースプレート４ａ上に固設されている。また、該摺動体４２は、便座支持部材２（図４，５では図示略）のフロントベースプレート３ａに固設されている。該フロントベースプレート３ａには、カム４０が便座支持部材２のカバー３ｄ（図４，５では図示略）内に入り込む透口４３が設けられている。
【００３１】
カム４０は、図５に示すように、略楕円形円盤状のものである。即ち、該カム４０は、盤面の長手方向の両側周面が円弧状のカム面４０ａ，４０ｂとなっており、これらをつなぐカム面４０ｃは、該カム面４０ａ，４０ｂの両端同士に滑らかに連なる略平坦面となっている。
【００３２】
モータ４１の回転軸４１ａは、該カム面４０ａに接近した位置にて、カム４０の盤面に垂直となるように、該盤面の長手方向軸線上に配置されて該カム４０に固着されている。リモコン（図示略）の浮上スイッチ及び下降スイッチを操作すると、それぞれ該モータ４１に通電されて回転軸４１ａが正方向及び逆方向に一定速度にて回転し、カム４０を回転駆動する。
【００３３】
摺動体４２は、透口４３を横切ってカム４０のカム面４０ａ〜４０ｃに当接するように配置されている。この実施の形態では、摺動体４２は丸棒状の部材となっている。該摺動体４２は、その軸心方向がモータ４１の回転軸４１ａの軸心方向と平行となるように延在され、該回転軸４１ａの鉛直上方にてカム面４０ａ〜４０ｃに当接している。この摺動体４２の両端は、透口４３を挟んで対峙するようにフロントベースプレート３ａから立設された１対の脚状部材４４に固着されている。
【００３４】
なお、図示はしないが、リアベースプレート４ａからはレール部材が立設されており、フロントベースプレート３ａには、このレール部材に係合したスライダが設けられている。このスライダは該レール部材に沿って上下方向に摺動可能となっており、フロントベースプレート３ａは、このレール部材とスライダとによって案内されて上下方向に平行移動する。
【００３５】
また、フロントベースプレート３ａには、該フロントベースプレート３ａが上昇限に位置したとき及び下降限に位置したとき、即ち、後述のように、カム４０が、その長手方向軸線が鉛直方向を向いた姿勢となったとき及び該長手方向軸線が横方向を向いた姿勢となったときに、そのことを検知するリミットスイッチ（図示略）が設けられている。モータ４１は、このリミットスイッチからの検知信号を受けて作動停止する。
【００３６】
この図４，５の便器設備のその他の構成は、図１〜３の便器設備と同じである。
【００３７】
フロントベースプレート３ａが下降限まで降下しているときには、図５（ａ）に示すように、カム４０は長手方向軸線が横方向を向いた姿勢となっており、摺動体４２は、カム面４０ａに当接している。
【００３８】
浮上スイッチを操作すると、モータ４１が作動し、カム４０は長手方向軸線が横向きの姿勢から鉛直方向を向いた姿勢となるように回転する。このカム４０の回転により、フロントベースプレート３ａが摺動体４２を介して押し上げられて便座支持部材２が浮上する。該長手方向軸線が鉛直方向を向くようになるまでカム４０が回転し、フロントベースプレート３ａが上昇限に達すると、リミットスイッチがこれを検知してモータ４１が作動停止し、便座支持部材２が該カム４０によって浮上状態に支持される。
【００３９】
この便座支持部材２の上昇工程では、カム４０が回転すると、摺動体４２は、カム面４０ａに沿って摺動するようにして上方への移動を開始する。このカム面４０ａは円弧状となっており、カム面４０ｃに到るまでは回転軸４１ａからの距離はさほど大きく変化しないので、摺動体４２はスムーズに上昇を開始する。カム面４０ｃは略平坦面であり、カム面４０ｂに近づくほど回転軸４１ａからの距離が大きく増大するので、摺動体４２は、このカム面４０ｃに沿って摺動するときには比較的高速で上方へ移動する。また、カム面４０ｂは円弧状となっており、その中間に近づくほど回転軸４１ａからの距離の変化量が小さくなるので、摺動体４２は、カム面４０ｃに差しかかると、その上方への移動速度がそれまでよりも小さくなる。そのため、便座支持部材２の上昇速度も、上昇工程の末期ではそれまでよりも小さくなる。
【００４０】
下降スイッチを操作すると、モータ４１が逆転作動し、カム４０は、その長手方向軸線が鉛直方向を向いた姿勢から横向きの姿勢となるように回転する。該長手方向軸線が横向きになるまでカム４０が回転すると、フロントベースプレート３ａが下降限に達し、リミットスイッチがこれを検知してモータ４１が作動停止すると共に、便座支持部材２の下降も停止する。
【００４１】
この便座支持部材２の下降工程では、カム４０が回転すると、摺動体４２は、カム面４０ｂに沿って摺動するようにして下方への移動を開始する。このカム面４０ｂは円弧状となっているので、摺動体４２はスムーズに下降を開始する。カム面４０ｃは略平坦面であり、カム面４０ａに近づくほど回転軸４１ａからの距離が大きく減少するので、摺動体４２は、このカム面４０ｃに沿って摺動するときには比較的高速で下方へ移動する。また、カム面４０ａは円弧状となっているので、摺動体４２は、カム面４０ａに差しかかると、その下方への移動速度がそれまでよりも小さくなる。そのため、便座支持部材２の下降速度も、下降工程の末期ではそれまでよりも小さくなる。
【００４２】
図６及び図７は、ベルト式無段変速機を採用した浮上ユニット２０Ｂの平面図であり、図８及び図９は、それぞれ図６及び図７のＶＩＩＩ−ＶＩＩＩ線及びＩＸ−ＩＸ線に沿う断面図である。なお、図６及び図８は便座支持部材下降工程の末期を示し、図７及び図９は該下降工程の中間時点を示している。
【００４３】
この浮上ユニット２０Ｂは、円錐形プーリ５０と、該円錐形プーリ５０を回転駆動するためのモータ５１と、フロントベースプレート３ａ上を該円錐形プーリ５０の回転軸心線方向にスライド可能な可動台座５２と、該可動台座５２を該円錐形プーリ５０の回転軸心線方向に進退させるシリンダ装置５３と、該円錐形プーリ５０に巻き掛けられた駆動力伝達用の無端ベルト５４と、該無端ベルト５４を介して回転駆動されるピニオン５５と、該ピニオン５５が噛合したラック５６とを備えている。該円錐形プーリ５０は、その尖端をモータ５１の回転軸５１ａの延出方向に向けて該回転軸５１ａに対し同軸状に連結されている。該モータ５１は、可動台座５２上に固設されている。また、該ラック５６はリアベースプレート４ａから立設されており、フロントベースプレート３ａに設けられた透口５７から便座支持部材２のカバー３ｄ（図示略）内に入り込んでいる。
【００４４】
フロントベースプレート３ａ上には、円錐形プーリ５０の回転軸心線方向に延在した１対のレール５８が設けられている。可動台座５２の下面にはこのレール５８に対し摺動可能に係合したスライダ５９が設けられており、このスライダ５９とレール５８とによって案内されて可動台座５２が該円錐形プーリ５０の回転軸心線方向にスライドする。
【００４５】
この可動台座５２の後端（円錐形プーリ５０の回転軸心線方向であって、該円錐形プーリ５０が大径となる方向に位置する端部。）に、シリンダ装置５３のピストンロッド５３ａの先端が連結されている。このピストンロッド５３ａを進退させるためのシリンダ５３ｂは、フロントベースプレート３ａ上に固設されている。
【００４６】
無端ベルト５４は、円錐形プーリ５０の外周面と、ピニオン５５と共通の回転軸６０を有する中継プーリ６１とを周回するように配設されている。ピニオン５５は、該回転軸６０を介してこの中継プーリ６１と一体に回転可能となっている。該回転軸６０は、フロントベースプレート３ａ上に立設された軸受６２によって枢支されている。
【００４７】
なお、図６及び図７に示すように、無端ベルト５４の張力や円錐形プーリ５０の回転軸心線方向への進退によって、中継プーリ６１の外周を通過する直線上から該円錐形プーリ５０の尖端側に無端ベルト５４がずれ動くことを防止するために、該無端ベルト５４にガイドローラ６３が係合している。このガイドローラ６３により、可動台座５２と共に円錐形プーリ５０がその尖端側に進出したときに、無端ベルト５４が中継プーリ６１の外周を通過する直線上から円錐形プーリ５０の尖端側にずれ動くことが防止され、図７に示すように、該無端ベルト５４は円錐形プーリ５０の大径側に相対移動し、その状態に保持される。
【００４８】
リモコン（図示略）の浮上スイッチ及び下降スイッチを操作すると、それぞれモータ５１に通電されて回転軸５１ａが正方向及び逆方向に一定速度にて回転し、円錐形プーリ５０、無端ベルト５４及び中継プーリ６１を介してピニオン５５を回転駆動する。このモータ５１からの駆動力によってピニオン５５がラック５６に沿って上方又は下方へ転動することにより、フロントベースプレート３ａが上昇又は下降する。
【００４９】
なお、フロントベースプレート３ａには、該フロントベースプレート３ａが上昇限に位置したこと及び下降限に位置したことを検知するリミットスイッチ（図示略）が設けられている。モータ５１は、このリミットスイッチからの検知信号を受けて作動停止する。
【００５０】
また、フロントベースプレート３ａには、該フロントベースプレート３ａが上昇工程末期及び下降工程末期に差しかかったことを検知する位置検知センサ（図示略）が設けられている。この位置検知センサは、例えば、フロントベースプレート３ａが上昇限からそのストロークの１０〜２０％下方の位置を通過したこと及び下降限からそのストロークの１０〜２０％上方の位置を通過したことを検知し、この検知信号をシリンダ装置５３（又はその制御回路）に出力するよう構成されている。
【００５１】
即ち、この位置検出センサは、フロントベースプレート３ａの上昇工程及び下降工程において、それぞれ、該フロントベースプレート３ａが上昇限からそのストロークの１０〜２０％下方の位置を通過したとき及び下降限からそのストロークの１０〜２０％上方の位置を通過したときの２回、位置検知信号をシリンダ装置５３に出力する。
【００５２】
シリンダ装置５３は、この位置検知センサからの検知信号に反応してピストンロッド５３ａを進退させる。
【００５３】
フロントベースプレート３ａが下降限に位置しているときには、図６に示すように、シリンダ装置５３のピストンロッド５３ａはシリンダ５３ｂに後退しており、可動台座５２も後退位置にある。この状態では、無端ベルト５４は円錐形プーリ５０の尖端側の小径の外周上を周回するように配設されており、該無端ベルト５４によって連動する円錐形プーリ５０とピニオン５５との減速比は比較的大きなものとなっている。
【００５４】
リモコンの浮上スイッチを操作すると、モータ５１が作動してピニオン５５を回転させる。この際、円錐形プーリ５０とピニオン５５との減速比が大きく、ピニオン５５がモータ５１によって高トルクにて回転駆動されるので、フロントベースプレート３ａはスムーズに上昇を開始する。
【００５５】
フロントベースプレート３ａが下降限からそのストロークの１０〜２０％上方の位置を通過し、位置検知センサから最初の検知信号が出力されると、シリンダ装置５３が作動してピストンロッド５３ａがシリンダ５３ｂから突出し、可動台座５２が前進する。この可動台座５２の前進により円錐形プーリ５０もその尖端側に進出し、無端ベルト５４は、より大径となる該円錐形プーリ５０の後端側に相対移動する。これにより、該円錐形プーリ５０とピニオン５５との減速比がそれまでよりも小さくなり、ピニオン５５がより高速で回転するようになる。このため、上昇工程の途中では便座支持部材２の上昇速度がそれまでよりも大きくなる。
【００５６】
フロントベースプレート３ａが上昇を続けて上昇限からそのストロークの１０〜２０％下方の位置を通過し、位置検知センサから２回目の位置検知信号が出力されると、シリンダ装置５３がピストンロッド５３ａをシリンダ５３ｂに退動させ、可動台座５２を後退させる。この可動台座５２の後退により、無端ベルト５４は、円錐形プーリ５０の外周面に沿ってその尖端側に相対移動する。これにより、該円錐形プーリ５０とピニオン５５との減速比が再び大きくなり、ピニオン５５が回転速度が小さくなる。このため、便座支持部材２の上昇工程の末期には、該便座支持部材２の上昇速度がそれまでよりも小さくなる。
【００５７】
その後、フロントベースプレート３ａが上昇限に達すると、リミットスイッチがこれを検知し、モータ５１が停止し、フロントベースプレート３ａもその状態で停止する。
【００５８】
リモコンの下降スイッチを操作すると、モータ５１が逆転作動し、フロントベースプレート３ａが下降し始める。そして、フロントベースプレート３ａが上昇限からそのストロークの１０〜２０％下方の位置を通過し、下降工程における最初の位置検知信号が位置検知センサから出力されると、シリンダ装置５３がピストンロッド５３ａをシリンダ５３ｂから突出させる。このピストンロッド５３ａの突出により可動台座５２が前進し、無端ベルト５４が円錐形プーリ５０の後端側に相対移動して該円錐形プーリ５０とピニオン５５との減速比がそれまでよりも小さくなり、ピニオン５５がより高速で回転するようになる。このため、下降工程の途中では便座支持部材２の下降速度がそれまでよりも大きくなる。
【００５９】
フロントベースプレート３ａが下降を続けて下降限からそのストロークの１０〜２０％上方の位置を通過し、位置検知センサから下降工程における２回目の位置検知信号が出力されると、シリンダ装置５３がピストンロッド５３ａをシリンダ５３ｂに退動させ、これに伴って可動台座５２が後退することにより、無端ベルト５４が円錐形プーリ５０の尖端側に相対移動し、該円錐形プーリ５０とピニオン５５との減速比が再び大きくなり、ピニオン５５が回転速度が小さくなる。このため、便座支持部材２の下降工程の末期には、該便座支持部材２の下降速度がそれまでよりも小さくなる。
【００６０】
その後、フロントベースプレート３ａが下降限に達すると、リミットスイッチがこれを検知し、モータ５１が停止し、フロントベースプレート３ａもその状態で停止する。
【００６１】
このように、上記の図４，５の浮上ユニット２０Ａ及び図６〜９の浮上ユニット２０Ｂにあっても、便座支持部材２の上昇工程の末期では上昇速度をそれまでよりも小さくし、また、下降工程の末期では下降速度をそれまでよりも小さくするよう構成されており、フロントベースプレート３ａが上昇限に達して停止する瞬間及びフロントベースプレート３ａが洋風便器本体１上に降下して停止する瞬間に、便座支持部材２の各構成部材に加えられる衝撃が小さくなり、これら各構成部材やその取付部に要求される耐衝撃性が緩和される。また、便座支持部材２が下降工程末期に減速されることから、洋風便器本体１上に雑巾などを置き忘れていても、慌てることなく取り除くことができる。
【００６２】
【発明の効果】
以上の通り、本発明によると、便座支持部材に設けられる機器やその支承部材等に要求される耐衝撃性を緩和することができる。
【図面の簡単な説明】
【図１】実施の形態に係る便器設備の側面図である。
【図２】図１の便器設備の斜視図である。
【図３】浮上ユニットの構成図である。
【図４】カムを変速機構として採用した浮上ユニット２０Ａの斜視図である。
【図５】図４のＶ−Ｖ線断面図である。
【図６】ベルト式無段変速機を採用した浮上ユニット２０Ｂの平面図である。
【図７】ベルト式無段変速機を採用した浮上ユニット２０Ｂの平面図である。
【図８】図６のＶＩＩＩ−ＶＩＩＩ線断面図である。
【図９】図７のＩＸ−ＩＸ線断面図である。
【符号の説明】
１　便器本体
２　便座支持部材
３ａ　フロントベースプレート
３ｅ　便座
３ｆ　便蓋
１３　開閉ユニット
１７，１８　人体検知センサ
２０，２０Ａ，２０Ｂ　浮上ユニット
３０　ステッピングモータ
３１　ピニオン
３２　ラック
３３　フレーム
４０　カム
４１　モータ
４２　摺動体
５０　円錐形プーリ
５１　モータ
５２　可動台座
５３　シリンダ装置
５４　無端ベルト
５５　ピニオン
５６　ラック
【図１】
2004097392.tif 000003
【図２】
2004097392.tif 000004
【図３】
2004097392.tif 000005
【図４】
2004097392.tif 000006
【図５】
2004097392.tif 000007
【図６】
2004097392.tif 000008
【図７】
2004097392.tif 000009
【図８】
2004097392.tif 000010
【図９】
2004097392.tif 000011